(57)【要約】【課題】多様なデータ処理ツールを用いて共用されるデータベースを効率的に利用することができるデータ管理システム、データ管理方法及びデータ管理プログラムを提供する。【解決手段】利用者端末（１０Ａ、１０Ｂ）は、ネットワークを介してＳＱＬサーバ３０に接続される。情報取得部２５１は、ＳＱＬサーバ３０から進捗データを抽出する。フォーマット変換部２５２は、ＳＱＬサーバ３０から取得した進捗データの変換を、変換テーブル記憶部４２に記録されたフィールド対比テーブルを用いて変換する。不足情報付加部２５３が、変換した進捗データに追加すべき項目を、追加項目テーブルを用いて付加する。ファイル出力部２５４は、データ変換を行なった進捗データをプロジェクト管理ツールに供給する。【選択図】図１
2007233936.tif 000002
【特許請求の範囲】
【請求項１】
クライアント端末に格納されたデータ処理ツールにより利用されるデータベース装置に登録されたデータを管理するシステムであって、
前記データベース装置に登録されたデータに用いられている第１書式と、前記データ処理ツールにおいて用いるデータの第２書式とのフィールド対比テーブルと、
前記第２書式に対して前記第１書式において不足する追加項目テーブルと、
前記データベース装置から、指定された情報を取得する情報取得手段と、
前記取得した情報の書式を、前記フィールド対比テーブルを用いて変換する書式変換手段と、
前記変換されたデータに対して前記追加項目テーブルを用いて付加項目を追加する項目付加手段と、
前記付加項目を追加された変換データの出力手段と
を備えることを特徴とするデータ管理システム。
【請求項２】
データ処理ツールの種別毎に、前記フィールド対比テーブル及び追加項目テーブルを備えるとともに、
クライアント端末に格納されたデータ処理ツールの種別を特定するツール特定手段と、
前記特定した種別に基づいて、前記書式変換手段がフィールド対比テーブルを選択し、前記項目付加手段が追加項目テーブルを選択することを特徴とする請求項１に記載のデータ管理システム。
【請求項３】
前記第１書式が階層構造を有する場合、前記書式変換手段が階層構造を階層毎に分割したレコードを生成し、前記分割したレコードを相互に関連付けるための識別情報を付与することを特徴とする請求項１又は２に記載のデータ管理システム。
【請求項４】
クライアント端末においてデータベース装置に登録されたデータを利用するデータ処理ツールと、前記データベース装置に登録されたデータに用いられている第１書式と前記データ処理ツールにおいて用いるデータの第２書式とのフィールド対比テーブルと、前記第２書式に対して前記第１書式において不足する追加項目テーブルと、制御手段とを備えたデータ管理システムを用いてデータを管理する方法であって、
前記制御手段が、
前記データベース装置から指定された情報を取得し、
前記取得した情報の書式を、前記フィールド対比テーブルを用いて変換し、
前記変換されたデータに対して前記追加項目テーブルを用いて付加項目を追加し、
前記付加項目を追加された変換データを出力することを特徴とするデータ管理方法。
【請求項５】
データベース装置に登録されたデータに用いられている第１書式とクライアント端末に格納されたデータ処理ツール用いるデータの第２書式とのフィールド対比テーブルと、前記第２書式に対して前記第１書式において不足する追加項目テーブルと、制御手段とを備えたデータ管理システムを用いて、前記データ処理ツールにより利用されるデータベース装置に登録されたデータを共用するプログラムであって、
前記制御手段を、
前記データベース装置から、指定された情報を取得する情報取得手段と、
前記取得した情報の書式を、前記フィールド対比テーブルを用いて変換する書式変換手段と、
前記変換されたデータに対して前記追加項目テーブルを用いて付加項目を追加する項目付加手段と、
前記付加項目を追加された変換データを出力する手段
として機能させることを特徴とするデータ管理プログラム。
【発明の詳細な説明】
【技術分野】
【０００１】
本発明は、複数の種類のデータ処理ツールを用いて情報蓄積と活用とを行なうためのデータ管理システム、データ管理方法及びデータ管理プログラムに関する。
【背景技術】
【０００２】
今日、各種ツールを用いてデータベースが構築されており、情報共有が行なわれている。特に、複数の担当者が関与するプロジェクトにおいては、プロセス（ワークフロー）、進捗状況、成果物等の管理が大切であり、相互に情報共有を行なう必要がある。
【０００３】
このために、業務の進捗管理を効果的かつ効率的に行なうことを目的として、プロジェクト管理ツールが多数市販されている。更に、日本企業の実態を考慮して効果的かつ効率的に進捗管理を行なうことができるとともに、知識の共有化のための文書の吸い上げが同時に行なうことができるプロジェクト管理システムも検討されている（例えば、特許文献１参照。）。このプロジェクト管理システムでは、プロジェクトを構成するタスクとその成果物である文書とを対応付けて管理する手段と、上記文書の作成状況から対応する上記タスクの進捗率を算出する手段とを備える。
【特許文献１】特開２００５−２２７８９２号公報（第１頁）
【発明の開示】
【発明が解決しようとする課題】
【０００４】
しかし、多種多様なプロジェクト管理ツールが存在しているため、利用者によって使用している管理ツールが異なる場合がある。例えば、リレーショナルデータベースに蓄積するために用いられたプロジェクト管理ツールと、リレーショナルデータベースから進捗管理に関する情報を出力する場合に用いるプロジェクト管理ツールとが異なる場合がある。この場合、共通フォーマット（例えばＣＳＶ形式）に変換して出力することも可能であるが、この場合には限られた情報出力に限られ、有効に情報を活用できない場合がある。
【０００５】
また、プロジェクト管理ツールによって、項目名が異なったり、不足している項目があったりする場合もある。
本発明は、上記課題を解決するためになされたものであり、その目的は、多様なデータ処理ツールを用いて共用されるデータベースを効率的に利用するためのデータ管理システム、データ管理方法及びデータ管理プログラムを提供することにある。
【課題を解決するための手段】
【０００６】
上記問題点を解決するために、請求項１に記載の発明は、クライアント端末に格納されたデータ処理ツールにより利用されるデータベース装置に登録されたデータを管理するシステムであって、前記データベース装置に登録されたデータに用いられている第１書式と、前記データ処理ツールにおいて用いるデータの第２書式とのフィールド対比テーブルと、前記第２書式に対して前記第１書式において不足する追加項目テーブルと、前記データベース装置から、指定された情報を取得する情報取得手段と、前記取得した情報の書式を、前記フィールド対比テーブルを用いて変換する書式変換手段と、前記変換されたデータに対して前記追加項目テーブルを用いて付加項目を追加する項目付加手段と、前記付加項目を追加された変換データの出力手段とを備えることを要旨とする。
【０００７】
請求項２に記載の発明は、請求項１に記載のデータ管理システムにおいて、データ処理ツールの種別毎に、前記フィールド対比テーブル及び追加項目テーブルを備えるとともに、クライアント端末に格納されたデータ処理ツールの種別を特定するツール特定手段と、
前記特定した種別に基づいて、前記書式変換手段がフィールド対比テーブルを選択し、前記項目付加手段が追加項目テーブルを選択することを要旨とする。
【０００８】
請求項３に記載の発明は、請求項１又は２に記載のデータ管理システムにおいて、前記第１書式が階層構造を有する場合、前記書式変換手段が階層構造を階層毎に分割したレコードを生成し、前記分割したレコードを相互に関連付けるための識別情報を付与することを要旨とする。
【０００９】
請求項４に記載の発明は、クライアント端末においてデータベース装置に登録されたデータを利用するデータ処理ツールと、前記データベース装置に登録されたデータに用いられている第１書式と前記データ処理ツールにおいて用いるデータの第２書式とのフィールド対比テーブルと、前記第２書式に対して前記第１書式において不足する追加項目テーブルと、制御手段とを備えたデータ管理システムを用いてデータを管理する方法であって、前記制御手段が、前記データベース装置から指定された情報を取得し、前記取得した情報の書式を、前記フィールド対比テーブルを用いて変換し、前記変換されたデータに対して前記追加項目テーブルを用いて付加項目を追加し、前記付加項目を追加された変換データを出力することを要旨とする。
【００１０】
請求項５に記載の発明は、データベース装置に登録されたデータに用いられている第１書式とクライアント端末に格納されたデータ処理ツール用いるデータの第２書式とのフィールド対比テーブルと、前記第２書式に対して前記第１書式において不足する追加項目テーブルと、制御手段とを備えたデータ管理システムを用いて、前記データ処理ツールにより利用されるデータベース装置に登録されたデータを共用するプログラムであって、前記制御手段を、前記データベース装置から、指定された情報を取得する情報取得手段と、前記取得した情報の書式を、前記フィールド対比テーブルを用いて変換する書式変換手段と、前記変換されたデータに対して前記追加項目テーブルを用いて付加項目を追加する項目付加手段と、前記付加項目を追加された変換データを出力する手段として機能させることを要旨とする。
【００１１】
（作用）
請求項１、４又は５に記載の発明によれば、データベース装置から取得したデータのフォーマットが、フィールド対比テーブルを用いてクライアント端末に格納されたデータ処理ツールにおいて利用されるフォーマットに変換される。そして、追加項目テーブルを用いて付加項目が追加される。これにより、データベース装置に格納されるデータのフォーマットと異なるフォーマットのデータ処理ツールを利用することができる。
【００１２】
請求項２に記載の発明によれば、データ処理ツールの種別毎に、フィールド対比テーブル及び追加項目テーブルを備える。これにより、予めフィールド対比テーブル及び追加項目テーブルを準備しておけば、データ処理ツールを変更した場合にも、効率的に項目の変換や追加を行なうことができる。
【００１３】
請求項３に記載の発明によれば、第１書式が階層構造を有する場合、階層構造を階層毎に分割したレコードを生成し、分割したレコードを相互に関連付けるための識別情報を付与する。これにより、階層構造の異なるデータ処理ツールを利用することができる。
【発明の効果】
【００１４】
本発明によれば、多様なデータ処理ツールを用いて共用されるデータベースを効率的に利用することができる。
【発明を実施するための最良の形態】
【００１５】
（第１の実施形態）
以下、本発明を具体化した一実施形態を、図１〜３に従って説明する。本実施形態では複数の利用者が共用するデータベースを用いてプロジェクト管理を行なう場合について説明する。ここでは、図１に示すように、クライアント端末として、複数の利用者端末（１０Ａ、１０Ｂ）は、ネットワークを介して、データベース装置としてのＳＱＬサーバ３０に接続される。この利用者端末（１０Ａ、１０Ｂ）は、各部署においてプロジェクトを管理する管理担当者のコンピュータ端末である。この管理担当者は、ＳＱＬサーバ３０を使用して、他の部署の管理担当者と連携してプロジェクト管理を行なう。
【００１６】
このＳＱＬサーバ３０には、各利用者端末（１０Ａ、１０Ｂ）に格納された各プロジェクト管理ツールによって生成された各種データがアップロードされる。本実施形態では、ＳＱＬサーバ３０に、各プロジェクトに関して進捗管理データがアップロードされる場合を想定する。
【００１７】
そして、各利用者端末（１０Ａ、１０Ｂ）には、それぞれプロジェクト管理ツールが格納される。本実施形態では、利用者端末１０Ａ、利用者端末１０Ｂには異なるプロジェクト管理ツールが格納されている場合を想定する。本実施形態では、データベース装置からデータをダウンロードする利用者端末１０Ｂが、データ管理システムとして機能する。
【００１８】
更に、ＳＱＬサーバ３０からデータのダウンロードを行なう利用者端末１０Ｂには、ＳＱＬサーバ３０から取得したデータの変換処理を行なうデータ連携処理部２１を備える。このデータ連携処理部２１は、データ管理プログラムを実行する制御手段（ＣＰＵ、ＲＡＭ及びＲＯＭ等）によって構成される。そして、後述する処理（データベース装置から指定された情報を取得する段階、取得した情報のフォーマットを変換する段階、付加項目を追加された変換データに対して付加項目を追加する段階等を含む処理）を行なう。このためのデータ管理プログラムを実行することにより、データ連携処理部２１は、情報取得部２５１、書式変換手段としてのフォーマット変換部２５２、項目付加手段としての不足情報付加部２５３、出力手段としてのファイル出力部２５４等として機能する。
【００１９】
このデータ連携処理部２１は、変換テーブル記憶部４２及び項目テーブル記憶部４３に接続される。
変換テーブル記憶部４２には、図２に示すように、ＳＱＬサーバ３０に格納されているデータの書式を変換するために用いるフィールド対比テーブル４２０が記録される。このフィールド対比テーブル４２０は、ＳＱＬサーバ３０に格納されているデータのフォーマット（第１書式）と、プロジェクト管理ツールで用いられるフォーマット（第２書式）に含まれるフィールドの相互の関係を特定するために用いられる。このフィールド対比テーブル４２０には、それぞれ対応するフィールドが相互に関連付けられている。例えば、プロジェクト管理ツールＡにおけるフィールド：「アクティビティ」、「タスクの進捗率」、「担当者」、「開始日予定」、「終了日予定」、「作業工数予定」、「作業工数実績」は、それぞれプロジェクト管理ツールＢにおけるフィールド：「タスク名」、「達成率」、「リソース」、「開始日」、「終了日」…に対応する。
【００２０】
一方、項目テーブル記憶部４３には、図３に示すように、ＳＱＬサーバ３０から取得したデータを、各利用者端末のプロジェクト管理ツールを使用する場合に、追加する項目についての追加項目テーブル４３０が記録される。この追加項目テーブル４３０は、利用者が使用するプロジェクト管理ツールにおいて必要な追加項目に関するデータを含んで構成される。
【００２１】
上記のように構成されたシステムを用いて、ＳＱＬサーバ３０からプロジェクトを管理するためのデータを取得しながらプロジェクト管理を行なう手順を説明する。
まず、利用者は、プロジェクト管理ツールを用いて各種進捗データのアップロードを行なう。例えば、利用者端末１０Ａに格納されたプロジェクト管理ツールＡを用いる場合を想定する。この場合、プロジェクトＩＤ又はプロジェクト名を付した進捗データを、ネットワークを介してＳＱＬサーバ３０に送信する。この進捗データには、アクティビティ、大区分、中区分、小区分、主担当者、小区分の進捗率、タスク名、タスクの進捗率、担当者、開始日予定、開始日実績、終了日予定、終了日実績等のフィールドを含む。この場合には、ＳＱＬ（Structured Query Language ）を用いて、直接、ＳＱＬサーバ３０に書き込む。この場合、ＳＱＬサーバ３０は、利用者端末１０Ａから受信した進捗データを格納する。
【００２２】
次に、他の利用者が、プロジェクト管理に必要な進捗データのダウンロードを行なう場合を説明する。例えば、この進捗データの参照には、利用者端末１０Ｂに格納されたプロジェクト管理ツールＢを用いる。ここでは、まず、ＳＱＬサーバ３０から蓄積された進捗データを取得するためにデータ連携プログラムを起動する。
【００２３】
そして、取得を希望する進捗データを特定するためのプロジェクト名（またはＩＤ）を設定する。この場合、情報取得手段としての情報取得部２５１は、ＳＱＬサーバ３０から進捗データを抽出する。具体的には、ＳＱＬを使用して、設定されたプロジェクト名（またはＩＤ）に関するデータをＳＱＬサーバ３０から抽出する。そして、情報取得部２５１は、取得した進捗データをフォーマット変換部２５２に供給する。
【００２４】
フォーマット変換部２５２は、ＳＱＬサーバ３０から取得した進捗データの変換を行なう。この場合、フォーマット変換部２５２は、変換テーブル記憶部４２に記録されたフィールド対比テーブル４２０を用いる。具体的には、取得した進捗データの各フィールドのデータを、フィールド対比テーブル４２０に登録された各フィールドに変換する。これにより、プロジェクト管理ツールＢで読込可能なフォーマットへの変換が行なわれる。
【００２５】
また、プロジェクト管理ツールＡにおいては、進捗データを構成するレコード内に階層構造を有し、プロジェクト管理ツールＢはレコード内に階層構造を有さない場合もある。この場合、プロジェクト管理ツールＡの１つのレコードをプロジェクト管理ツールＢのフォーマットに変更した場合、複数のレコードに展開する。そして、プロジェクト管理ツールＢにおいては、階層構造を表す識別情報を各レコードの関連情報として記録する。例えば、プロジェクト管理ツールＡ形式のレコードを階層（アクティビティ、大項目、中項目、小項目、タスク）から構成されている場合、レコードを分割するとともに共通のフィールドデータを作成し、レコード間の関連付けを行なう。フォーマット変換部２５２は、変換した進捗データを不足情報付加部２５３に供給する。
【００２６】
不足情報付加部２５３が、変換した進捗データに追加すべき項目を付加する。この場合、不足情報付加部２５３は、項目テーブル記憶部４３に格納された追加項目テーブル４３０を用いる。この追加項目は、追加するフィールドと、作成値に関するデータから構成される。例えば、プロジェクト管理ツールＡのフォーマットにはない「固有ＩＤ」や「アウトライン番号」が、プロジェクト管理ツールＢのフォーマットにおいて必要な場合には、これらのフィールドと作成値とを進捗データに付加する。そして、不足情報付加部２５３は、生成した進捗データをファイル出力部２５４に供給する。
【００２７】
ファイル出力部２５４は、データ変換を行なった進捗データをプロジェクト管理ツールに供給する。この場合、進捗データを取得したプロジェクト名（またはＩＤ）及び日付を付加した名称をファイル名として付与する。そして、利用者端末１０Ｂのプロジェクト管理ツールＢは、取得した進捗データをインポートする。この場合、フィールド対比テーブル４２０で数値となっているフィールドとユーザ設定フィールドをプロジェクト管理ツー
ルＢのプロジェクトに設定する。そして、インポート用マップの作成を行なう。これにより、進捗データをプロジェクト管理ツールＢで参照することができる。
【００２８】
本実施形態によれば、以下のような効果を得ることができる。
・  本実施形態においては、各利用者端末には、それぞれプロジェクト管理ツールが格納される。ここでは、利用者端末１０Ａ及び利用者端末１０Ｂには異なるプロジェクト管理ツールが格納されている場合を想定する。そして、利用者端末１０Ｂにおいてデータ管理プログラムを実行することにより、フォーマット変換部２５２や不足情報付加部２５３として機能する。これにより、データのアップロードとダウンロードとにおいて、異なるアプリケーションプログラムを用いても、共有情報を参照や編集を行なうことができる。
【００２９】
特に、データベース装置において標準化されたフォーマットを利用することができ、多様なクライアント端末を用いて、データベースに蓄積された情報を登録、参照、更新することができる。一つの情報を共有するプロジェクトマネジメントにおいて、プロジェクトマネジメントツールに依存せず、蓄積された情報の利用に有効である。
【００３０】
・  本実施形態においては、データ連携処理部２１は変換テーブル記憶部４２及び項目テーブル記憶部４３に接続される。これにより、異なる管理ツールにおけるフォーマットの違いを吸収することができる。
【００３１】
（第２の実施形態）
第１の実施形態では、データベース装置からデータをダウンロードする利用者端末１０Ｂを、データ管理システムとして用いた。すなわち、ＳＱＬサーバ３０からデータのダウンロードを行なう利用者端末１０Ｂには、ＳＱＬサーバ３０から取得したデータの変換処理を行なうデータ連携処理部２１を設けた。第２の実施形態では、利用者端末（１０Ａ、１０Ｂ）とは別に、データ連携サーバ５０を設けた実施形態を説明する。本発明を具体化した一実施形態を、図４、５に従って説明する。ここでは、図４に示すように、複数の利用者端末（１０Ａ、１０Ｂ）と、各利用者端末にネットワークを介して接続されているデータ連携サーバ５０とを用いる。
【００３２】
このデータ連携サーバ５０は、ＳＱＬサーバ３０に格納されたデータの管理を行なう。このデータ連携サーバ５０は、制御手段としての制御部５１、変換テーブル記憶部４２及び項目テーブル記憶部４３の他に利用者テーブル記憶部４４を備える。この制御部５１は、図示しない制御手段（ＣＰＵ、ＲＡＭ及びＲＯＭ等）を有し、第１の実施形態と同様に各処理を行なう。そして、本実施形態では、このためのデータ管理プログラムを実行することにより、制御部５１は、クライアント端末に格納されたデータ処理ツールの種別を特定するツール特定手段（利用者端末特定部５１１、管理ツール特定部５１２）として機能する。
【００３３】
また、利用者テーブル記憶部４４には、図５に示すように、利用者毎に使用しているプロジェクト管理ツールを特定するための利用者テーブルデータ４４０が記録される。この利用者テーブルデータ４４０は、利用者からの申請に基づいて登録される。この利用者テーブルデータ４４０は、利用者識別子と管理ツール識別子とに関するデータを含んで構成される。
【００３４】
利用者識別子データは、ＳＱＬサーバ３０を使用する各利用者を特定するための識別子に関するデータである。
管理ツール識別子データ領域には、この利用者が使用しているプロジェクト管理ツールを特定するための識別子に関するデータが記録される。すなわち、利用者識別子を特定することにより、この利用者が使用しているプロジェクト管理ツールを特定することができ
る。
【００３５】
また、項目テーブル記憶部４３の追加項目テーブル４３０や、変換テーブル記憶部４２のフィールド対比テーブル４２０は、利用者が使用するプロジェクト管理ツールの種別を特定するための管理ツール識別子毎に記録される。
【００３６】
以下、プロジェクトを管理するためのデータ変換の処理手順を説明する。
利用者は、プロジェクト管理ツールを用いて各種進捗データのダウンロードを行なう。ここでは、利用者端末１０Ｂに格納されたプロジェクト管理ツールＢを用いる。この場合、利用者端末１０Ｂのプロジェクト管理ツールＢは、利用者を特定するための利用者識別子やプロジェクト名（またはＩＤ）に関するデータを含む要求をデータ連携サーバ５０に送信する。
【００３７】
この要求を受信したデータ連携サーバ５０の利用者端末特定部５１１は、受信した利用者識別子に基づいて要求を行なった利用者端末（ここでは、利用者端末１０Ｂ）を特定する。そして、利用者端末特定部５１１は、特定した利用者識別子を管理ツール特定部５１２に供給する。
【００３８】
管理ツール特定部５１２は、この利用者が使用しているプロジェクト管理ツールを特定する。具体的には、利用者テーブル記憶部４４を用いて、対応する管理ツール識別子を特定する。そして、この管理ツール識別子をデータ変換部５１３に供給する。
【００３９】
データ変換部５１３は、データ変換を行なう。この処理は、第１の実施形態と同様に、情報取得部２５１、フォーマット変換部２５２、不足情報付加部２５３、ファイル出力部２５４として機能する。なお、この場合には、フォーマット変換部２５２、不足情報付加部２５３は、項目テーブル記憶部４３や変換テーブル記憶部４２において、プロジェクト管理ツールの管理ツール識別子毎に、フィールド対比テーブル４２０、追加項目テーブル４３０を特定して用いる。そして、管理ツール特定部５１２が特定したプロジェクト管理ツールの管理ツール識別子に対応した各テーブルを用いる。
【００４０】
本実施形態によれば、上記第１の実施形態における効果の他に、以下の効果を有する。
・  上記実施形態では、データ連携サーバ５０は、ＳＱＬサーバ３０に格納されたデータの管理を行なう。このデータ連携サーバ５０は、制御部５１、変換テーブル記憶部４２及び項目テーブル記憶部４３の他に利用者テーブル記憶部４４を備える。そして、制御部５１がクライアント端末に格納されたデータ管理ツールの種別を特定し、それの応じたフィールド対比テーブル４２０、追加項目テーブル４３０を取得する。これにより、利用者端末に、データ連携処理部２１、変換テーブル記憶部４２及び項目テーブル記憶部４３を設けることなく、データ変換を行なうことができる。
【００４１】
なお、上記各実施形態は以下のように変更してもよい。
○  上記実施形態では、データ処理ツールとしてプロジェクト管理ツールに適用したが、これに限定されるものではなく、共用する情報を多様なデータ処理ツールを用いて利用する場合に用いることが可能である。
【００４２】
○  上記実施形態では、変換テーブル記憶部４２や項目テーブル記憶部４３には、予めフィールド対比テーブル４２０や追加項目テーブル４３０を記録しておく。これに代えて、情報項目の編集手段を利用者端末やデータ連携サーバ５０に設けてもよい。これにより、管理者によって項目の追加、編集、削除を行なうことができる。
【００４３】
○  上記実施形態では、各利用者端末には、それぞれ異なるプロジェクト管理ツールが
格納されている場合を想定したが、利用者や利用者端末が異なる場合に限定されるものではなく、同じ利用者や利用者端末であっても、データ処理ツールが異なる場合に適用することができる。
【００４４】
○  上記実施形態では、不足情報付加部２５３が、項目テーブル記憶部４３に格納された追加項目テーブル４３０を用いて、進捗データに追加すべき項目を付加する。この場合、不足情報付加部２５３は、変換された進捗データに含まれる項目を確認して、不足がある場合のみ付加してもよい。具体的には、項目テーブル記憶部４３の代わりに、クライアント端末に格納されたデータ処理ツールのフォーマットにおいて必要な項目に関するテープルを格納した必要項目テーブルを予め準備しておく。そして、フォーマット変換部２５２において変換されたデータの項目と、必要項目テーブルの項目とを比較し、不足する項目のみを追加する。これによっても、不足項目を付加することができる。
【図面の簡単な説明】
【００４５】
【図１】本発明の実施形態のシステム概略図。
【図２】フィールド対比テーブルの説明図。
【図３】追加項目テーブルの説明図。
【図４】他の実施形態のシステム概略図。
【図５】利用者テーブルの説明図。
【符号の説明】
【００４６】
１０Ａ，１０Ｂ…クライアント端末としての利用者端末、２１…制御手段としてのデータ連携処理部、２５１…情報取得手段としての情報取得部、２５３…書式変換手段としてのフォーマット変換部、２５４…項目付加手段としての不足情報付加部、３０…データベース装置としてのＳＱＬサーバ、４２０…フィールド対比テーブル、４３０…追加項目テーブル、５１…制御手段としての制御部、５１２…ツール特定手段としての管理ツール特定部。
【図１】
2007233936.tif 000003
【図２】
2007233936.tif 000004
【図３】
2007233936.tif 000005
【図４】
2007233936.tif 000006
【図５】
2007233936.tif 000007